(57)【要約】【課題】作業足場に邪魔されることなく、ローピング作業の実行を可能するエレベーターの施工方法の提供。【解決手段】昇降路１内に立設したかご用ガイドレール２の最下部レール部２Ａに、かご３のかご枠床３Ａを取り付けた後、このかご枠床３Ａ上から昇降路頂部１Ａまでの間に作業足場１５を立設し、その後、その作業足場１５を利用して昇降路内機器の取り付け作業を行うと共に、作業足場１５を利用して主ロープ６のローピング作業を行った後に、作業足場１５をかご枠床３Ａ上から撤去するようにした。【選択図】図１
2006137567.tif 000002
【特許請求の範囲】
【請求項１】
昇降路内に立設したかご用ガイドレールの最下部レール部に、かごのかご枠床を設置した後、このかご枠床上から昇降路頂部までの間に作業足場を立設し、その後、この作業足場を利用して昇降路内機器の取り付け作業を行うと共に、前記作業足場を利用して主ロープのローピング作業を行った後に、前記作業足場を前記かご枠床上から撤去するようにしたことを特徴とするエレベーターの施工方法。
【請求項２】
前記主ロープの両端部が、昇降路頂部側に設けたプーリビームに支持されると共に、前記主ロープの中間部が、かごに設けたかご下プーリ、釣合い重りに設けた釣合い重り用プーリ及び駆動源に連結されたマシンプ−リに、巻き掛けられるようにしたことを特徴とする請求項１記載のエレベーターの施工方法。
【請求項３】
前記マシンプ−リを昇降路のピット内底側に設置すると共に、昇降路頂部側に転向プーリを設置して、前記主ロープが、前記かご下プーリ、前記転向プーリ、前記マシンプ−リ及び前記釣合い重り用プーリに、巻き掛けられるようにしたことを特徴とする請求項２記載のエレベーターの施工方法。
【請求項４】
前記かご枠床の下面に取り付けたかご下プーリを、かご用ガイドレールに支持した後、そのかご枠床上から昇降路頂部までの間に作業足場を立設し、その作業足場を利用して前記昇降路内機器の取り付け作業及び前記主ロープのローピング作業を行い、その後、前記かご枠床上の作業足場を撤去してから、そのかご枠床上にかごを組み立てるようにしたことを特徴とする請求項２若しくは３記載のエレベーターの施工方法。
【発明の詳細な説明】
【技術分野】
【０００１】
本発明は、機械室レスのエレベーターを施工するのに好適なエレベーターの施工方法に関するものである。
【背景技術】
【０００２】
従来、機械室レスのエレベーターにおいては、昇降路のピット内底から昇降路頂部に亘り作業足場を組み立てた後、この作業足場を利用して昇降路内機器の取り付け作業を行い、その後、その作業足場を解体撤去することなく、一対のかご用ガイドレールにかご下プーリを仮固定し、このかご下プーリと昇降路頂部側に設けた転向プーリとマシンプ−リと釣合い重り用プーリとに、主ロープを巻きかける作業、すなわち、ローピング作業を、前記作業足場を利用して行うようにしたエレベーターの施工方法が提案されている（例えば、特許文献１参照）。
【特許文献１】特開２００１−１２２５５６号公報（段落番号０００９〜段落番号００１６、図１）
【発明の開示】
【発明が解決しようとする課題】
【０００３】
しかしながら、上述した特許文献１に記載されているエレベーターの施工方法では、一対のかご用ガイドレールに設けたかご下プーリや巻上機の回転軸に固定されたマシンプ−リに、主ロープを巻きかけるために昇降路ピット内で行う作業が、昇降路のピット内底から立設している作業足場によって邪魔されるため、その作業を円滑に行うことが困難であるという問題があった。
【０００４】
本発明は、上述した従来技術における実状からなされたもので、その目的は、機械室レス式エレベーターにおける昇降路内機器の取り付け作業及び主ロープのローピング作業を円滑に実行することを可能にしたエレベーターの施工方法を提供することにある。
【課題を解決するための手段】
【０００５】
上記目的を達成するために、本発明は、昇降路内に立設したかご用ガイドレールの最下部レール部に、かごのかご枠床を設置した後、このかご枠床上から昇降路頂部までの間に作業足場を立設し、その後、この作業足場を利用して昇降路内機器の取り付け作業を行うと共に、前記作業足場を利用して主ロープのローピング作業を行った後に、前記作業足場を前記かご枠床上から撤去するようにしたことを特徴としている。
【０００６】
さらに、本発明は、前記主ロープの両端部が、昇降路頂部側に設けたプーリビームに支持されると共に、前記主ロープの中間部が、かごに設けたかご下プーリ、釣合い重りに設けた釣合い重り用プーリ及び駆動源に連結されたマシンプ−リに、巻き掛けられるようにしたことを特徴としている。
【０００７】
さらに、本発明は、前記マシンプ−リを昇降路のピット内底側に設置すると共に、昇降路頂部側に転向プーリを設置して、前記主ロープが、前記かご下プーリ、前記転向プーリ、前記マシンプ−リ及び前記釣合い重り用プーリに、巻き掛けられるようにしたことを特徴としている。
【０００８】
さらに、前記かご枠床の下面に取り付けたかご下プーリを、かご用ガイドレールに支持した後、そのかご枠床上から昇降路頂部までの間に作業足場を立設し、その作業足場を利用して前記昇降路内機器の取り付け作業及び前記主ロープのローピング作業を行い、その後、前記かご枠床上の作業足場を撤去してから、そのかご枠床上にかごを組み立てるようにしたことを特徴としている。
【発明の効果】
【０００９】
本発明によれば、昇降路内に立設したかご用ガイドレールに設置したかごのかご枠床と昇降路のピット内底との間に作業足場がないので、かご枠床の下面に設けたかご下プーリやピット内底に設けたマシンプ−リに、主ロープを巻き掛ける作業を、難なく円滑に行わせることができる。
【発明を実施するための最良の形態】
【００１０】
以下、本発明に係るエレベーターの施工方法の一実施形態を、図１〜図７に基づいて、詳説する。図１は、本発明の一実施形態に係わるエレベーターの施工方法に基づく作業足場よってローピング作業を完了させた状態における昇降路の縦断面図である。図２は、本発明の一実施形態に係わるエレベーターの施工方法に基づくかご枠床の飛び出し防止措置を施した状態の要部拡大側面図である。図３は、本発明の一実施形態に係わるエレベーターの施工方法に基づくかご枠床をかご用ガイドレールに設置する作業の説明図である。図４は、本発明の一実施形態に係わるエレベーターの施工方法に基づくかご枠床上に設置した作業用足場の構成を示す要部斜視図である。図５は、本発明の一実施形態に係わるエレベーターの施工方法に基づく作業足場をかご枠床上から撤去した後、かご枠をかご枠床上に取り付けた状態における昇降路の縦断面図である。図６は、本発明の一実施形態に係わるエレベーターの施工方法に基づく作業足場をかご枠床上から撤去した後、かごをかご枠床上に組み立てた状態における昇降路の縦断面図である。図７は、本発明の一実施形態に係わるエレベーターの施工方法の作業手順例を示すフローチャートである。
【００１１】
図１、図５及び図６に示すエレベーターの昇降路１には、その昇降路１の内側壁に沿って垂直方向に敷設された一対のかご用ガイドレール２、このかご用ガイドレール２に沿って昇降するかご３と、昇降路１の内側壁に沿って垂直方向に敷設された一対の釣合い重り用ガイドレール４と、この釣合い重り用ガイドレール４に沿って昇降する釣合い重り５と、この釣合い重り５とかご３とを移動させるための主ロープ６と、この主ロープ６を移動させるための駆動源となる巻上機７と、かご３の下面側に固定された一対のかご下プーリ８、８Ａと、昇降路頂部１Ａ側に設けたシンブルロッド支持部材となるプーリビーム９と、このプーリビーム９に支持した２個の転向プーリ１０、１０Ａと、釣合い重り５の上部に取り付けられた釣合い重り用プーリ１１と、巻上機７の回転軸に固定されたマシンプ−リ１２が設けられている。
【００１２】
昇降路１のピット内底１Ｂ側には、鋼材からなるピットベース部材１３が設けられている。巻上機７は、図４に示すように、ピットベース部材１３上に固定される。主ロープ６は、図１に示すように、その主ロープ６の両端部が昇降路頂部１Ａ側に設けたプーリビーム９にシンブルロッド１４、１４Ａによって取り付けられると共に、その主ロープ６の中間部が、一対のかご下プーリ８、８Ａ、２個の転向プーリ１０、１０Ａ、マシンプ−リ１２及び釣合い重り用プーリ１１に、巻き掛けられる。
【００１３】
昇降路１内への昇降路内機器の取り付け作業及び主ロープ６のローピング作業は、昇降路１下部に立設した一対のかご用ガイドレール２の最下部レール部２Ａに、かご３のかご枠床３Ａを組み込んだ後、このかご枠床３Ａ上から昇降路頂部１Ａまでの間に作業足場１５を立設し、その作業足場１５を利用して、行うようにしている。
【００１４】
なお、かご３のかご枠床３Ａを最下部レール部２Ａに組み込む際には、図２に示すように、かご枠床３Ａに取り付けた一対のかご下プーリ８、８Ａを最下部レール部２Ａに、玉掛けワイヤー１６、シャックル１７及び金車ブラケット１８を用いて固定するようにしている。そして、昇降路内機器の取り付け作業及び主ロープ６のローピング作業が終了したならば、かご枠床３Ａ上から作業足場１５を撤去した後、かご枠床３Ａ上にかご３を組み立て、その後、ワイヤー１６及びシャックル１７を取り除くことで、一対のかご下プーリ８、８Ａと最下部レール部２Ａとの固定を解除するようにしている。
【００１５】
次に、本発明の一実施形態に係わるエレベーターの施工方法の作業手順を、図７を基づき、具体的に説明する。
【００１６】
まず、図７のステップＳ１に示すように、かご３のかご芯並びに一対のかご用ガイドレール２及び一対の釣合い重り用ガイドレール４のレール芯の芯出し用水糸を、昇降路１内に設置する。
【００１７】
次いで、昇降路１のピット内底１Ｂには、図７のステップＳ２に示すように、ピットベース部材１３を設置する。
【００１８】
次いで、図７のステップＳ３に示すように、一対のかご用ガイドレール２の１段目に該当する最下部レール部２Ａを１段目レールブラケット１８に、かつ、一対の釣合い重り用ガイドレール４の１段目に該当する最下部レール部４Ａを１段目レールブラケット１９に、それぞれ支持させた状態で、それら最下部レール部２Ａ、４Ａの芯出しを芯出し用水糸によって行った後、それら最下部レール部２Ａ、４Ａを１段目レールブラケット１８、１９に固定させ、その後、芯出し用水糸を撤去する。
【００１９】
次いで、図７のステップＳ４に示すように、ピット内底１Ｂに搬入した巻上機７を、ピット内底１Ｂに設置したピットベース部材１３上に設置する。
【００２０】
次いで、図７のステップＳ５に示すように、ピット内底１Ｂにスリング３Ｂを搬入して仮置きした後、かご枠受け雇２０を一対のかご用ガイドレール２の最下部レール部２Ａに取り付けるとともに、このかご枠受け雇２０を用いて、かご枠床３Ａを、昇降路１の最下階床１Ｃの高さ位置よりも高い位置となるように、最下部レール部２Ａに設置する。
【００２１】
次いで、図７のステップＳ６に示すように、最下部レール部２Ａに装着したかご枠床３Ａに乗って、かご用ガイドレール２の２段目レールブラケット１８Ａ及び釣合い重り用ガイドレール４の２段目レールブラケット１９Ａを、下げ振り２２を用いて、芯出した後、固定するととともに、ピット内底１Ｂに搬入したスリング３Ｂ等かご枠部品をかご枠床３Ａに締結固定する。
【００２２】
次いで、図７のステップＳ７に示すように、釣合い重り５を昇降路１内に搬入するとともに、かご枠床３Ａ上からプーリビーム９が取る付ける位置まで、作業足場１５を組み立てて、釣合い重り５を昇降路１底部に搬入する。
【００２３】
次いで、図７のステップＳ８に示すように、かご用ガイドレール２及び釣合い重り用ガイドレール４の２段目レール以降の全段分を芯出し固定する。
【００２４】
次いで、図７のステップＳ９に示すように、作業足場１５を利用して、転向プーリ１０、１０Ａが予め取り付けてなるプーリビーム９などの上部機材を、昇降路１の昇降路頂部１Ａに固定後、釣合い重り５を昇降路１内の昇降路頂部１Ａ近傍まで揚重する。
【００２５】
次いで、図７のステップＳ１０に示すように、作業足場１５を利用して、制御盤その他の昇降路内機器を設置すると共に、昇降路内の電気配線を行い、その後、かご下プーリ８、８Ａを最下部レール部２Ａに、玉掛けワイヤー１６、シャックル１７及び金車ブラケット１８を用いて固定することで、かご枠床３Ａの飛び出し防止措置を施す。
【００２６】
次いで、図７のステップＳ１１に示すように、作業足場１５を利用して、主ロープ６のローピング作業を行う。すなわち、例えば、主ロープ６の他端側を、他方のシンブルロッド１４Ａに取り付けた後、その主ロープ６の一端側を、釣合い重り用プーリ１１、転向プーリ１０、マシンプ−リ１２、転向プーリ１０Ａ及びかご下プーリ８、８Ａの順で巻き掛け、その後、主ロープ６の一端側を一方のシンブルロッド１４に取り付ける。
【００２７】
次いで、ローピング作業が終了したならば、図７のステップＳ１２に示すように、作業足場１５を解体して、昇降路１内から撤去するとともに、ワイヤー１６及びシャックル１７を取り除くことで、かご下プーリ８、８Ａと最下部レール部２Ａとの固定を解除する。
【００２８】
最後に、かご枠床３Ａ上にかご枠３Ｃ及びかご３を組み立て後、ワイヤー１０及びシャックル１７を取り除き、かご下プーリ８，８Ａと最下部レール部２Ａとの固定を解除することで、エレベーターの施工作業が終了する。
【００２９】
上記エレベーターの施工方法の作業手順によれば、昇降路１内底に作業足場１５がないので、主ロープ６をかご下プーリ８、８Ａ及びマシンプ−リ１２に巻き掛ける作業を、作業足場１５によって邪魔されることなく、難なく円滑に行うことができる。
【００３０】
上記本発明の一実施形態に係わるエレベーターを、昇降路１のピット内底１Ｂに巻上機７を設置し、かつ、昇降路頂部１Ａに転向プーリ１０、１０Ａを設置した機械室レスのエレベーターとしているが、このエレベーターに限定されることなく、昇降路頂部１Ａに巻上機７を設置して転向プーリ１０、１０Ａを使用しないようにした機械室レスのエレベーターを施工する場合にも、本発明を適用できる。
【図面の簡単な説明】
【００３１】
【図１】本発明の一実施形態に係わるエレベーターの施工方法に基づく作業足場よってローピング作業を完了させた状態における昇降路の縦断面図である。
【図２】本発明の一実施形態に係わるエレベーターの施工方法に基づくかご枠床の飛び出し防止措置を施した状態の要部拡大側面図である。
【図３】本発明の一実施形態に係わるエレベーターの施工方法に基づくかご枠床をかご用ガイドレールに設置する作業の説明図である。
【図４】本発明の一実施形態に係わるエレベーターの施工方法に基づくかご枠床上に設置した作業用足場の構成を示す要部斜視図である。
【図５】本発明の一実施形態に係わるエレベーターの施工方法に基づく作業足場をかご枠床上から撤去した後、かご枠をかご枠床上に取り付けた状態における昇降路の縦断面図である。
【図６】本発明の一実施形態に係わるエレベーターの施工方法に基づく作業足場をかご枠床上から撤去した後、かごをかご枠床上に組み立てた状態における昇降路の縦断面図である。
【図７】本発明の一実施形態に係わるエレベーターの施工方法の作業手順例を示すフローチャートである。
【符号の説明】
【００３２】
１    昇降路
１Ａ  昇降路頂部
１Ｂ  ピット内底
１Ｃ  最下階床
２    かご用ガイドレール
２Ａ  最下部レール部
３    かご
３Ａ  かご枠床
３Ｂ  スリング
３Ｃ  かご枠
４    釣合い重り用ガイドレール
４Ａ  最下部レール部
５    釣合い重り
６    主ロープ
７    巻上機
８、８Ａ  かご下プーリ
９    プーリビーム
１０、１０Ａ  転向プーリ
１１  釣合い重り用プーリ
１２  マシンプ−リ
１３  ピットベース部材
１４、１４Ａ  シンブルロッド
１５  作業足場
１６  玉掛けワイヤー
１７  シャックル
１８  金車ブラケット
１９、２０  １段目レールブラケット
１９Ａ、２０Ａ  ２段目レールブラケット
２１  かご枠受け雇
２２  下げ振り
【図１】
2006137567.tif 000003
【図２】
2006137567.tif 000004
【図３】
2006137567.tif 000005
【図４】
2006137567.tif 000006
【図５】
2006137567.tif 000007
【図６】
2006137567.tif 000008
【図７】
2006137567.tif 000009